(57)【要約】【課題】  株価チャートにおいてどのような種類のニュースがあるのかをチャート部分で容易に認識でき、ニュース本文表示とヘッドライン表示が対応するチャートのポイントをユーザが容易に認識できる株式情報表示方法及び株式情報表示システムを提供する。【解決手段】  株式情報管理サーバ１がクライアント端末２にチャート表示用プログラムと関連する株価チャート情報とニュース情報を配信し、クライアント端末２が当該プログラムを用いて株価チャート情報から株価チャートを表示し、ニュース情報からチャート上にニュース内容の種別を示す表示マークを表示し、当該表示マークが選択することで、対応するニュースのヘッドラインがチャート内に表示され、更に要求によりニュース本文を別の表示エリアに表示させる株式情報表示方法及び株式情報表示システムである。【選択図】        図７
2008181277.tif 000002
【特許請求の範囲】
【請求項１】
クライアント端末で株価のチャートを表示すると共に、ニュースを表示する株価情報表示方法において、
株式情報管理サーバから株式情報が前記クライアント端末に送信され、送信された株価情報に基づいて前記クライアント端末の表示部にローソク足の株価のチャートを表示し、前記株式情報管理サーバから少なくともニュース内容の種別、ヘッドライン、ニュース本文を含むニュース情報が前記クライアント端末に送信され、送信されたニュース情報に基づいて表示された株価のチャートの日付に対応した箇所にニュース内容の種別を示す表示マークを表示し、当該表示マークを選択する指示が入力部から入力されると、選択された表示マークに対応するニュースのヘッドラインをヘッドライン表示エリアに表示し、更にヘッドラインの表示中に本文表示の指示が入力されると、ヘッドラインに対応するニュース本文を別の表示エリアに表示することを特徴とする株価情報表示方法。
【請求項２】
表示マークを、株価の動向によって導き出される基準線に対して株価が上にあるときローソク足の上の位置に表示し、当該基準線に対して株価が下にあるときローソク足の下の位置に表示することを特徴とする請求項１記載の株式情報表示方法。
【請求項３】
表示マークを選択する指示が入力されると、表示マークの表示態様を変更して、対応するニュースのヘッドラインを表示し、本文表示の指示が入力されると、ヘッドライン表示エリアの表示態様を変更して、前記ヘッドラインに対応するニュース本文を表示し、別の表示マークを選択する指示が入力されると、表示態様が変更された表示マークを元の表示態様に戻し、前記別の表示マークの表示態様を変更して、前記ヘッドライン表示エリアの表示態様を変更前の表示態様に戻し、前記別の表示マークに対応するニュースのヘッドラインを表示することを特徴とする請求項１又は２記載の株式情報表示方法。
【請求項４】
表示マークを選択する指示が入力されると、表示マークの近傍に見出し表示中マークを点灯して、対応するニュースのヘッドラインを表示し、本文表示の指示が入力されると、前記表示マークの近傍に本文表示中マークを点灯して、前記ヘッドラインに対応するニュース本文を表示し、前記別の表示マークを選択する指示が入力されると、前記点灯した見出し表示中マークを消灯し、前記別の表示マークの近傍に見出し表示中マークを点灯して、前記別の表示マークに対応するニュースのヘッドラインを表示することを特徴とする請求項１又は２記載の株式情報表示方法。
【請求項５】
株価情報を記憶する株式データベースと、ニュース情報を記憶するニュースデータベースとを備える株式情報管理サーバと、株式情報を表示するクライアント端末とを有する株式情報表示システムであって、
前記株式情報管理サーバは、前記クライアント端末からの要求により、株式情報を表示させるコンピュータプログラムを前記クライアント端末に送信するプログラム送信手段と、
前記クライアント端末から特定された銘柄について前記株式データベースから株式情報を読み込んで前記クライアント端末に送信する株価情報送信手段と、
前記クライアント端末から特定された銘柄について前記ニュースデータベースから少なくともニュース内容の種別、ヘッドライン、ニュース本文を含むニュース情報を読み込んで前記クライアント端末に送信するニュース情報送信手段とを備えるサーバであり、
前記クライアント端末は、前記株式情報管理サーバから送信されたコンピュータプログラムを制御部で動作させることにより、
前記送信された株価情報に基づいて前記クライアント端末の表示部にローソク足の株価のチャートを表示する株価チャート表示手段と、
前記送信されたニュース情報に基づいて前記株価のチャートの日付に対応した箇所にニュース内容の種別を示す表示マークを複数表示する表示マーク表示手段と、
複数表示された表示マークの内、一つの表示マークを選択する指示が入力部から入力されると、選択された表示マークに対応するニュースのヘッドラインをヘッドライン表示エリアに表示するヘッドライン表示手段と、
ヘッドラインの表示中に本文表示の指示が入力部から入力されると、前記ヘッドラインに対応するニュース本文を別の表示エリアに表示するニュース本文表示手段とを備える端末であることを特徴とする株式情報表示システム。
【請求項６】
株価情報を記憶する株式データベースと、少なくともニュース内容の種別、ヘッドライン、ニュース本文を含むニュース情報を記憶するニュースデータベースとを備える株式情報管理サーバが、クライアント端末からの要求により、前記クライアント端末に配信して、株式情報を表示させる処理を行うコンピュータプログラムであって、
前記コンピュータプログラムは、前記クライアント端末の制御部による動作によって、前記クライアント端末から特定された銘柄について前記株式情報管理サーバが前記株式データベースから読み込んで、前記クライアント端末に送信した株価情報に基づいて前記クライアント端末の表示部にローソク足の株価のチャートを表示する株価チャート表示手段と、
前記銘柄について前記株式情報管理サーバが前記ニュースデータベースから読み込んで、前記クライアント端末に送信したニュース情報に基づいて前記株価のチャートの日付に対応した箇所にニュース内容の種別を示す表示マークを複数表示する表示マーク表示手段と、
複数表示された表示マークの内、一つの表示マークを選択する指示が入力部から入力されると、選択された表示マークに対応するニュースのヘッドラインをヘッドライン表示エリアに表示するヘッドライン表示手段と、
ヘッドラインの表示中に本文表示の指示が入力部から入力されると、前記ヘッドラインに対応するニュース本文を別の表示エリアに表示するニュース本文表示手段とを有することを特徴とするコンピュータ読み取り可能なプログラム。
【請求項７】
表示マーク表示手段は、株価の動向により基準線を導き出し、前記基準線に対して株価が上にあるときローソク足の上の位置に表示マークを表示し、当該基準線に対して株価が下にあるときローソク足の下の位置に表示マークを表示することを特徴とする請求項６記載のコンピュータ読み取り可能なプログラム。
【請求項８】
表示マーク表示手段は、同じ日付に複数のニュースがある場合、ニュースの登録順に表示マークをローソク足に近い位置に表示することを特徴とする請求項７記載のコンピュータ読み取り可能なプログラム。
【請求項９】
表示マーク表示手段は、表示マークを選択する指示が入力部から入力されると、表示マークの表示態様を変更し、
ヘッドライン表示手段は、当該選択された表示マークに対応するニュースのヘッドラインを表示し、本文表示の指示が入力部から入力されると、ヘッドライン表示エリアの表示態様を変更し、
ニュース本文表示手段は、本文表示の指示が入力部から入力されると、前記ヘッドラインに対応するニュース本文を表示し、
表示マーク表示手段は、別の表示マークを選択する指示が入力部から入力されると、表示態様が変更された表示マークを元の表示態様に戻し、前記別の表示マークの表示態様を変更し、
前記ヘッドライン表示手段は、別の表示マークを選択する指示が入力部から入力されると、ヘッドライン表示エリアの表示態様を変更前の表示態様に戻し、前記別の表示マークに対応するニュースのヘッドラインを表示することを特徴とする請求項６乃至８のいずれか記載のコンピュータ読み取り可能なプログラム。
【請求項１０】
表示マーク表示手段は、表示マークを選択する指示が入力部から入力されると、表示マークの近傍に見出し表示中マークを点灯し、本文表示の指示が入力部から入力されると、前記表示マークの近傍に本文表示中マークを点灯し、
ヘッドライン表示手段は、前記選択された表示マークに対応するニュースのヘッドラインを表示し、
ニュース本文表示手段は、本文表示の指示が入力部から入力されると、前記ヘッドラインに対応するニュース本文を表示し、
前記表示マーク表示手段は、別の表示マークを選択する指示が入力部から入力されると、前記点灯した見出し表示中マークを消灯し、前記別の表示マークの近傍に見出し表示中マークを点灯し、
前記ヘッドライン表示手段は、別の表示マークを選択する指示が入力部から入力されると、前記別の表示マークに対応するニュースのヘッドラインを表示することを特徴とする請求項６乃至８のいずれか記載のコンピュータ読み取り可能なプログラム。
【請求項１１】
表示マーク表示手段は、表示マークを選択する指示が入力部から入力されると、表示マークの表示態様を変更して、表示マークの近傍に見出し表示中マークを点灯し、本文表示の指示が入力部から入力されると、前記表示マークの近傍に本文表示中マークを点灯し、
ヘッドライン表示手段は、前記選択された表示マークに対応するニュースのヘッドラインを表示し、本文表示の指示が入力部から入力されると、ヘッドライン表示エリアの表示態様を変更し、
ニュース本文表示手段は、本文表示の指示が入力部から入力されると、前記ヘッドラインに対応するニュース本文を表示し、
前記表示マーク表示手段は、別の表示マークを選択する指示が入力部から入力されると、表示態様が変更された表示マークを元の表示態様に戻して、前記点灯した見出し表示中マークを消灯し、前記別の表示マークの表示態様を変更して、前記別の表示マークの近傍に見出し表示中マークを点灯し、
前記ヘッドライン表示手段は、別の表示マークを選択する指示が入力部から入力されると、ヘッドライン表示エリアの表示態様を変更前の表示態様に戻し、前記別の表示マークに対応するニュースのヘッドラインを表示することを特徴とする請求項６乃至８のいずれか記載のコンピュータ読み取り可能なプログラム。
【請求項１２】
チャート表示エリア外に、日付、ニュース内容の種別を記号、ニュースのヘッドラインの一覧を一覧表示エリアとして表示する一覧表示手段を有し、
表示マーク表示手段は、前記一覧でヘッドラインの一つを選択する指示が入力部から入力されると、ヘッドライン表示エリアにヘッドラインが既に表示されている場合で、前記一覧で選択されたヘッドラインと前記ヘッドライン表示エリアに表示されているヘッドラインが異なる場合、表示態様が変更された表示マークの表示態様を元に戻し、前記一覧で選択されたヘッドラインに対応する表示マークの表示態様を変更し、
ヘッドライン表示手段は、前記一覧でヘッドラインの一つを選択する指示が入力部から入力されると、前記ヘッドライン表示エリアの表示態様が既に変更されている場合で、前記一覧で選択されたヘッドラインと前記ヘッドライン表示エリアに表示されているヘッドラインが異なる場合は、前記ヘッドライン表示エリアの表示態様を元に戻し、
ニュース本文表示手段は、前記一覧でヘッドラインを選択する指示が入力部から入力されると、当該選択されたヘッドラインに対応するニュースの本文をニュース表示エリアに表示することを特徴とする請求項９又は１１記載のコンピュータ読み取り可能なプログラム。
【請求項１３】
チャート表示エリア外に、日付、ニュース内容の種別を記号、ニュースのヘッドラインの一覧を一覧表示エリアとして表示する一覧表示手段を有し、
表示マーク表示手段は、前記一覧でヘッドラインの一つを選択する指示が入力部から入力されると、ヘッドライン表示エリアにヘッドラインが既に表示されている場合で、前記一覧で選択されたヘッドラインと前記ヘッドライン表示エリアに表示されているヘッドラインが異なる場合、見出し表示中マークを消灯して、前記一覧で選択されたヘッドラインに対応する表示マークの近傍に見出し表示中マークを点灯し、本文表示中マークを消灯して、前記一覧で選択されたヘッドラインに対応する表示マークの近傍に本文表示中マークを点灯し、
ニュース本文表示手段は、前記一覧でヘッドラインを選択する指示が入力部から入力されると、当該選択されたヘッドラインに対応するニュースの本文をニュース表示エリアに表示することを特徴とする請求項１０又は１１記載のコンピュータ読み取り可能なプログラム。
【発明の詳細な説明】
【技術分野】
【０００１】
本発明は、株式情報の表示方法及び表示システムに係り、特に、株価の動向をチャートで表示し、更に関連するニュースを効果的に表示する株式情報表示方法及び株式情報表示システムに関する。
【背景技術】
【０００２】
従来、株価の状況をチャートで表示しつつ、その株式銘柄に関するニュースを表示するシステムについて種々提案されている。
具体的には、以下のような先行技術がある。
【０００３】
［特許文献１の内容］
特開２００３−１０８７８５号公報（特許文献１）には、情報処理装置において、特定銘柄の株価チャートを表示し、そのチャートに対して矢印でニュースの見出し番号を付与し、チャート上部に当該番号とニュースの見出しの一覧を表示することが記載されている。
【０００４】
［特許文献２の内容］
特開２００２−９２３２９号公報（特許文献２）には、株価チャート提供システムにおいて、株価チャートのローソク足に関連ニュース記事がある場合で、ユーザの指示でローソク足の上部にニュースを表示することが記載されている。
【０００５】
［特許文献３の内容］
特開２００４−２２７０７０号公報（特許文献３）には、株価情報表示システムにおいて、株価チャートを表示し、そのチャートにニュース番号を付与し、当該ニュース番号に対応するニュースをチャート下部に表示することが記載されている。
【０００６】
［特許文献４の内容］
特許第３３００２５６号公報（特許文献４）には、情報端末システムにおいて、株価の推移グラフを表示し、グラフの任意の位置が入力されると、その位置に対応する日付のニュース情報を画面の別の部分に表示することが記載されている。
【０００７】
［特許文献１，２の補足］
上記特許文献１，２では、ニュースといってもニュースの本文ではなくヘッドラインを表示するものであり、特に、株価チャートの特定の点にヘッドラインを関連付けるために、特許文献１では矢印と見出し番号を用いて見出し一覧を表示し、特許文献２ではローソク足の上部にヘッドラインを表示するものとなっていた。
【０００８】
［特許文献３の補足］
また、特許文献３では、ニュース表示領域にニュース本文の表示は可能ではあるが、株価チャートにはニュース番号しか表示されておらず、ニュース番号を指示して対応するニュース内容を判別できるものとなっていた。
【０００９】
【特許文献１】特開２００３−０１０８７８５号公報
【特許文献２】特開２００２−０９２３２９号公報
【特許文献３】特開２００４−２２７０７０号公報
【特許文献４】特許第３３００２５６号公報
【発明の開示】
【発明が解決しようとする課題】
【００１０】
このように、上記従来の技術では、株価チャートにおいてどのような種類のニュースがあるのか、ヘッドラインを参照しなければ分からず、更に株価チャートにおける特定ポイントに関するニュース本文を参照しながら他のポイントのヘッドラインを参照して株価動向を判断できる構成とはなっていないという問題点があった。
【００１１】
特に、ニュース本文の表示が株価チャートのどのポイントに対応し、ヘッドライン表示がどのポイントに対応するのかを、ユーザが容易に認識できるものとはなっていないという問題点があった。
【００１２】
［発明の目的］
本発明は上記実状に鑑みて為されたもので、株価チャートにおいてどのような種類のニュースがあるのかをチャート部分で容易に認識でき、ニュース本文表示とヘッドライン表示が対応するチャートのポイントをユーザが容易に認識でき、特にユーザが投資家であれば、有効な投資判断を与えることができる株式情報表示方法及び株式情報表示システムを提供することを目的とする。
【課題を解決するための手段】
【００１３】
上記従来例の問題点を解決するための本発明は、クライアント端末で株価のチャートを表示すると共に、ニュースを表示する株価情報表示方法において、株式情報管理サーバから株式情報がクライアント端末に送信され、送信された株価情報に基づいてクライアント端末の表示部にローソク足の株価のチャートを表示し、株式情報管理サーバから少なくともニュース内容の種別、ヘッドライン、ニュース本文を含むニュース情報がクライアント端末に送信され、送信されたニュース情報に基づいて表示された株価のチャートの日付に対応した箇所にニュース内容の種別を示す表示マークを表示し、当該表示マークを選択する指示が入力部から入力されると、選択された表示マークに対応するニュースのヘッドラインをヘッドライン表示エリアに表示し、更にヘッドラインの表示中に本文表示の指示が入力されると、ヘッドラインに対応するニュース本文を別の表示エリアに表示することを特徴とする。
【００１４】
本発明は、上記株式情報表示方法において、表示マークを、株価の動向によって導き出される基準線に対して株価が上にあるときローソク足の上の位置に表示し、当該基準線に対して株価が下にあるときローソク足の下の位置に表示することを特徴とする。
【００１５】
本発明は、上記株式情報表示方法において、表示マークを選択する指示が入力されると、表示マークの表示態様を変更して、対応するニュースのヘッドラインを表示し、本文表示の指示が入力されると、ヘッドライン表示エリアの表示態様を変更して、ヘッドラインに対応するニュース本文を表示し、別の表示マークを選択する指示が入力されると、表示態様が変更された表示マークを元の表示態様に戻し、別の表示マークの表示態様を変更して、ヘッドライン表示エリアの表示態様を変更前の表示態様に戻し、別の表示マークに対応するニュースのヘッドラインを表示することを特徴とする。
【００１６】
本発明は、上記株式情報表示方法において、表示マークを選択する指示が入力されると、表示マークの近傍に見出し表示中マークを点灯して、対応するニュースのヘッドラインを表示し、本文表示の指示が入力されると、表示マークの近傍に本文表示中マークを点灯して、ヘッドラインに対応するニュース本文を表示し、別の表示マークを選択する指示が入力されると、点灯した見出し表示中マークを消灯し、該別の表示マークの近傍に見出し表示中マークを点灯して、該別の表示マークに対応するニュースのヘッドラインを表示することを特徴とする。
【００１７】
本発明は、株価情報を記憶する株式データベースと、ニュース情報を記憶するニュースデータベースとを備える株式情報管理サーバと、株式情報を表示するクライアント端末とを有する株式情報表示システムであって、株式情報管理サーバは、クライアント端末からの要求により、株式情報を表示させるコンピュータプログラムをクライアント端末に送信するプログラム送信手段と、クライアント端末から特定された銘柄について株式データベースから株式情報を読み込んでクライアント端末に送信する株価情報送信手段と、クライアント端末から特定された銘柄についてニュースデータベースから少なくともニュース内容の種別、ヘッドライン、ニュース本文を含むニュース情報を読み込んでクライアント端末に送信するニュース情報送信手段とを備えるサーバであり、クライアント端末は、株式情報管理サーバから送信されたコンピュータプログラムを制御部で動作させることにより、送信された株価情報に基づいてクライアント端末の表示部にローソク足の株価のチャートを表示する株価チャート表示手段と、送信されたニュース情報に基づいて株価のチャートの日付に対応した箇所にニュース内容の種別を示す表示マークを複数表示する表示マーク表示手段と、複数表示された表示マークの内、一つの表示マークを選択する指示が入力部から入力されると、選択された表示マークに対応するニュースのヘッドラインをヘッドライン表示エリアに表示するヘッドライン表示手段と、ヘッドラインの表示中に本文表示の指示が入力部から入力されると、ヘッドラインに対応するニュース本文を別の表示エリアに表示するニュース本文表示手段とを備える端末であることを特徴とする。
【００１８】
本発明は、株価情報を記憶する株式データベースと、少なくともニュース内容の種別、ヘッドライン、ニュース本文を含むニュース情報を記憶するニュースデータベースとを備える株式情報管理サーバが、クライアント端末からの要求により、クライアント端末に配信して、株式情報を表示させる処理を行うコンピュータプログラムであって、コンピュータプログラムは、クライアント端末の制御部による動作によって、クライアント端末から特定された銘柄について株式情報管理サーバが株式データベースから読み込んで、クライアント端末に送信した株価情報に基づいてクライアント端末の表示部にローソク足の株価のチャートを表示する株価チャート表示手段と、当該銘柄について株式情報管理サーバがニュースデータベースから読み込んで、クライアント端末に送信したニュース情報に基づいて株価のチャートの日付に対応した箇所にニュース内容の種別を示す表示マークを複数表示する表示マーク表示手段と、複数表示された表示マークの内、一つの表示マークを選択する指示が入力部から入力されると、選択された表示マークに対応するニュースのヘッドラインをヘッドライン表示エリアに表示するヘッドライン表示手段と、ヘッドラインの表示中に本文表示の指示が入力部から入力されると、ヘッドラインに対応するニュース本文を別の表示エリアに表示するニュース本文表示手段とを有することを特徴とする。
【００１９】
本発明は、上記コンピュータプログラムにおいて、表示マーク表示手段が、株価の動向により基準線を導き出し、基準線に対して株価が上にあるときローソク足の上の位置に表示マークを表示し、当該基準線に対して株価が下にあるときローソク足の下の位置に表示マークを表示することを特徴とする。
【００２０】
本発明は、上記コンピュータプログラムにおいて、表示マーク表示手段が、同じ日付に複数のニュースがある場合、ニュースの登録順に表示マークをローソク足に近い位置に表示することを特徴とする。
【００２１】
本発明は、上記コンピュータプログラムにおいて、表示マーク表示手段が、表示マークを選択する指示が入力部から入力されると、表示マークの表示態様を変更し、ヘッドライン表示手段が、当該選択された表示マークに対応するニュースのヘッドラインを表示し、本文表示の指示が入力部から入力されると、ヘッドライン表示エリアの表示態様を変更し、ニュース本文表示手段が、本文表示の指示が入力部から入力されると、ヘッドラインに対応するニュース本文を表示し、表示マーク表示手段が、別の表示マークを選択する指示が入力部から入力されると、表示態様が変更された表示マークを元の表示態様に戻し、別の表示マークの表示態様を変更し、ヘッドライン表示手段が、別の表示マークを選択する指示が入力部から入力されると、ヘッドライン表示エリアの表示態様を変更前の表示態様に戻し、別の表示マークに対応するニュースのヘッドラインを表示することを特徴とする。
【００２２】
本発明は、上記コンピュータプログラムにおいて、表示マーク表示手段が、表示マークを選択する指示が入力部から入力されると、表示マークの近傍に見出し表示中マークを点灯し、本文表示の指示が入力部から入力されると、表示マークの近傍に本文表示中マークを点灯し、ヘッドライン表示手段が、選択された表示マークに対応するニュースのヘッドラインを表示し、ニュース本文表示手段が、本文表示の指示が入力部から入力されると、ヘッドラインに対応するニュース本文を表示し、表示マーク表示手段が、別の表示マークを選択する指示が入力部から入力されると、点灯した見出し表示中マークを消灯し、別の表示マークの近傍に見出し表示中マークを点灯し、ヘッドライン表示手段が、別の表示マークを選択する指示が入力部から入力されると、別の表示マークに対応するニュースのヘッドラインを表示することを特徴とする。
【００２３】
本発明は、上記コンピュータプログラムにおいて、表示マーク表示手段が、表示マークを選択する指示が入力部から入力されると、表示マークの表示態様を変更して、表示マークの近傍に見出し表示中マークを点灯し、本文表示の指示が入力部から入力されると、表示マークの近傍に本文表示中マークを点灯し、ヘッドライン表示手段が、選択された表示マークに対応するニュースのヘッドラインを表示し、本文表示の指示が入力部から入力されると、ヘッドライン表示エリアの表示態様を変更し、ニュース本文表示手段が、本文表示の指示が入力部から入力されると、ヘッドラインに対応するニュース本文を表示し、表示マーク表示手段が、別の表示マークを選択する指示が入力部から入力されると、表示態様が変更された表示マークを元の表示態様に戻して、点灯した見出し表示中マークを消灯し、別の表示マークの表示態様を変更して、別の表示マークの近傍に見出し表示中マークを点灯し、ヘッドライン表示手段が、別の表示マークを選択する指示が入力部から入力されると、ヘッドライン表示エリアの表示態様を変更前の表示態様に戻し、別の表示マークに対応するニュースのヘッドラインを表示することを特徴とする。
【００２４】
本発明は、上記コンピュータプログラムにおいて、チャート表示エリア外に、日付、ニュース内容の種別を記号、ニュースのヘッドラインの一覧を一覧表示エリアとして表示する一覧表示手段を有し、表示マーク表示手段が、一覧でヘッドラインの一つを選択する指示が入力部から入力されると、ヘッドライン表示エリアにヘッドラインが既に表示されている場合で、一覧で選択されたヘッドラインとヘッドライン表示エリアに表示されているヘッドラインが異なる場合、表示態様が変更された表示マークの表示態様を元に戻し、一覧で選択されたヘッドラインに対応する表示マークの表示態様を変更し、ヘッドライン表示手段が、一覧でヘッドラインの一つを選択する指示が入力部から入力されると、ヘッドライン表示エリアの表示態様が既に変更されている場合で、一覧で選択されたヘッドラインとヘッドライン表示エリアに表示されているヘッドラインが異なる場合は、ヘッドライン表示エリアの表示態様を元に戻し、ニュース本文表示手段が、一覧でヘッドラインを選択する指示が入力部から入力されると、当該選択されたヘッドラインに対応するニュースの本文をニュース表示エリアに表示することを特徴とする。
【００２５】
本発明は、上記コンピュータプログラムにおいて、チャート表示エリア外に、日付、ニュース内容の種別を記号、ニュースのヘッドラインの一覧を一覧表示エリアとして表示する一覧表示手段を有し、表示マーク表示手段が、一覧でヘッドラインの一つを選択する指示が入力部から入力されると、ヘッドライン表示エリアにヘッドラインが既に表示されている場合で、一覧で選択されたヘッドラインとヘッドライン表示エリアに表示されているヘッドラインが異なる場合、見出し表示中マークを消灯して、一覧で選択されたヘッドラインに対応する表示マークの近傍に見出し表示中マークを点灯し、本文表示中マークを消灯して、一覧で選択されたヘッドラインに対応する表示マークの近傍に本文表示中マークを点灯し、ニュース本文表示手段が、一覧でヘッドラインを選択する指示が入力部から入力されると、当該選択されたヘッドラインに対応するニュースの本文をニュース表示エリアに表示することを特徴とする。
【発明の効果】
【００２６】
本発明によれば、株式情報管理サーバから送信された株価情報、ニュース情報に基づいて表示された株価のチャートの日付に対応した箇所にニュース内容の種別を示す表示マークを表示し、当該表示マークの選択により、選択された表示マークに対応するニュースのヘッドラインをヘッドライン表示エリアに表示し、更にヘッドラインの表示中に本文表示の指示が入力されると、ヘッドラインに対応するニュース本文を別の表示エリアに表示する株式情報表示方法としているので、株価チャートにおいてニュースの種別を容易に認識でき、更にヘッドライン、本文を連携して参照できる効果がある。
【００２７】
本発明によれば、表示マークを、株価の動向によって導き出される基準線に対して株価が上にあるときローソク足の上の位置に表示し、当該基準線に対して株価が下にあるときローソク足の下の位置に表示する上記株式情報表示方法としているので、株価チャートのローソク足に重ならないように表示マークを表示できる効果がある。
【００２８】
本発明によれば、表示マークの選択により、表示マークの表示態様を変更して、対応するニュースのヘッドラインを表示し、本文表示の指示により、ヘッドライン表示エリアの表示態様を変更して、ヘッドラインに対応するニュース本文を表示し、別の表示マークが選択されると、表示態様が変更された表示マークを元の表示態様に戻し、別の表示マークの表示態様を変更して、ヘッドライン表示エリアの表示態様を変更前の表示態様に戻し、別の表示マークに対応するニュースのヘッドラインを表示する上記株式情報表示方法としているので、別の表示マークが選択された場合に、ヘッドライン表示エリアの表示態様の変更によってヘッドラインと本文との関連性を容易に認識できる効果がある。
【００２９】
本発明によれば、表示マークの選択により、表示マークの近傍に見出し表示中マークを点灯して、対応するニュースのヘッドラインを表示し、本文表示の指示により、表示マークの近傍に本文表示中マークを点灯して、ヘッドラインに対応するニュース本文を表示し、別の表示マークが選択されると、点灯した見出し表示中マークを消灯し、該別の表示マークの近傍に見出し表示中マークを点灯して、該別の表示マークに対応するニュースのヘッドラインを表示する上記株式情報表示方法としているので、別の表示マークが選択された場合に、見出し表示中マーク、本文表示中マークの点灯によってヘッドラインと本文との関連性を容易に認識できる効果がある。
【００３０】
本発明によれば、株式情報管理サーバから送信されたプログラム制御により、クライアント端末が、送信された株価情報に基づいて表示部にローソク足の株価のチャートを表示する株価チャート表示手段と、送信されたニュース情報に基づいて株価のチャートの日付に対応した箇所にニュース内容の種別を示す表示マークを複数表示する表示マーク表示手段と、複数表示された表示マークの内、一つの表示マークを選択する指示が入力部から入力されると、選択された表示マークに対応するニュースのヘッドラインをヘッドライン表示エリアに表示するヘッドライン表示手段と、ヘッドラインの表示中に本文表示の指示が入力部から入力されると、ヘッドラインに対応するニュース本文を別の表示エリアに表示するニュース本文表示手段とを備える株式情報表示システムとしているので、株価チャートにおいてニュースの種別を容易に認識でき、更にヘッドライン、本文を連携して参照できる効果がある。
【００３１】
本発明によれば、株式情報管理サーバから配信され、クライアント端末の制御部で動作することで、送信された株価情報に基づいて表示部にローソク足の株価のチャートを表示する株価チャート表示手段と、当該銘柄について送信されたニュース情報に基づいて株価のチャートの日付に対応した箇所にニュース内容の種別を示す表示マークを複数表示する表示マーク表示手段と、複数表示された表示マークの内、一つの表示マークを選択する指示が入力部から入力されると、選択された表示マークに対応するニュースのヘッドラインをヘッドライン表示エリアに表示するヘッドライン表示手段と、ヘッドラインの表示中に本文表示の指示が入力部から入力されると、ヘッドラインに対応するニュース本文を別の表示エリアに表示するニュース本文表示手段とを有するコンピュータプログラムとしているので、株価チャートにおいてニュースの種別を容易に認識でき、更にヘッドライン、本文を連携して参照できる効果がある。
【００３２】
本発明によれば、表示マーク表示手段が、株価の動向により基準線を導き出し、基準線に対して株価が上にあるときローソク足の上の位置に表示マークを表示し、当該基準線に対して株価が下にあるときローソク足の下の位置に表示マークを表示する上記コンピュータプログラムとしているので、株価チャートのローソク足に重ならないように表示マーク表示できる効果がある。
【００３３】
本発明によれば、表示マーク表示手段が、同じ日付に複数のニュースがある場合、ニュースの登録順に表示マークをローソク足に近い位置に表示する上記コンピュータプログラムとしているので、同じ日付に複数のニュースがあっても登録順にローソク足に近い順番で表示でき、表示マークの重なりを防ぐことができる効果がある。
【００３４】
本発明によれば、表示マーク表示手段が、表示マークの選択により、表示マークの表示態様を変更し、ヘッドライン表示手段が、当該選択された表示マークに対応するニュースのヘッドラインを表示し、本文表示の指示により、ヘッドライン表示エリアの表示態様を変更し、ニュース本文表示手段が、本文表示の指示により、ヘッドラインに対応するニュース本文を表示し、表示マーク表示手段が、別の表示マークの選択により、表示態様が変更された表示マークを元の表示態様に戻し、別の表示マークの表示態様を変更し、ヘッドライン表示手段が、別の表示マークの選択により、ヘッドライン表示エリアの表示態様を変更前の表示態様に戻し、別の表示マークに対応するニュースのヘッドラインを表示する上記コンピュータプログラムとしているので、別の表示マークが選択された場合に、ヘッドライン表示エリアの表示態様の変更によってヘッドラインと本文との関連性を容易に認識できる効果がある。
【００３５】
本発明によれば、表示マーク表示手段が、表示マークの選択により、表示マークの近傍に見出し表示中マークを点灯し、本文表示の指示により、表示マークの近傍に本文表示中マークを点灯し、ヘッドライン表示手段が、選択された表示マークに対応するニュースのヘッドラインを表示し、ニュース本文表示手段が、本文表示の指示により、ヘッドラインに対応するニュース本文を表示し、表示マーク表示手段が、別の表示マークの選択により、点灯した見出し表示中マークを消灯し、別の表示マークの近傍に見出し表示中マークを点灯し、ヘッドライン表示手段が、別の表示マークの選択により、別の表示マークに対応するニュースのヘッドラインを表示する上記コンピュータプログラムとしているので、別の表示マークが選択された場合に、見出し表示中マーク、本文表示中マークの点灯によってヘッドラインと本文との関連性を容易に認識できる効果がある。
【００３６】
本発明によれば、表示マーク表示手段が、表示マークの選択により、表示マークの表示態様を変更して、表示マークの近傍に見出し表示中マークを点灯し、本文表示の指示により、表示マークの近傍に本文表示中マークを点灯し、ヘッドライン表示手段が、選択された表示マークに対応するニュースのヘッドラインを表示し、本文表示の指示により、ヘッドライン表示エリアの表示態様を変更し、ニュース本文表示手段が、本文表示の指示により、ヘッドラインに対応するニュース本文を表示し、表示マーク表示手段が、別の表示マークの選択により、表示態様が変更された表示マークを元の表示態様に戻して、点灯した見出し表示中マークを消灯し、別の表示マークの表示態様を変更して、別の表示マークの近傍に見出し表示中マークを点灯し、ヘッドライン表示手段が、別の表示マークの選択により、ヘッドライン表示エリアの表示態様を変更前の表示態様に戻し、別の表示マークに対応するニュースのヘッドラインを表示する上記コンピュータプログラムとしているので、別の表示マークが選択された場合に、ヘッドライン表示エリアの表示態様の変更と、見出し表示中マーク、本文表示中マークの点灯によってヘッドラインと本文との関連性を容易に認識できる効果がある。
【００３７】
本発明によれば、チャート表示エリア外に、日付、ニュース内容の種別を記号、ニュースのヘッドラインの一覧を一覧表示エリアとして表示する一覧表示手段を有し、表示マーク表示手段が、一覧でヘッドラインの一つの選択により、ヘッドライン表示エリアにヘッドラインが既に表示されている場合で、一覧で選択されたヘッドラインとヘッドライン表示エリアに表示されているヘッドラインが異なる場合、表示態様が変更された表示マークの表示態様を元に戻し、一覧で選択されたヘッドラインに対応する表示マークの表示態様を変更し、ヘッドライン表示手段が、一覧でヘッドラインの一つの選択により、ヘッドライン表示エリアの表示態様が既に変更されている場合で、一覧で選択されたヘッドラインとヘッドライン表示エリアに表示されているヘッドラインが異なる場合は、ヘッドライン表示エリアの表示態様を元に戻し、ニュース本文表示手段が、一覧でヘッドラインの選択により、当該選択されたヘッドラインに対応するニュースの本文をニュース表示エリアに表示する上記コンピュータプログラムとしているので、一覧表示エリアに表示されたヘッドラインを選択しても、表示マークの表示態様、ヘッドライン表示エリアの表示態様を変更することで、表示マークと本文との関連性を容易に把握できる効果がある。
【００３８】
本発明によれば、チャート表示エリア外に、日付、ニュース内容の種別を記号、ニュースのヘッドラインの一覧を一覧表示エリアとして表示する一覧表示手段を有し、表示マーク表示手段が、一覧でヘッドラインの一つの選択により、ヘッドライン表示エリアにヘッドラインが既に表示されている場合で、一覧で選択されたヘッドラインとヘッドライン表示エリアに表示されているヘッドラインが異なる場合、見出し表示中マークを消灯して、一覧で選択されたヘッドラインに対応する表示マークの近傍に見出し表示中マークを点灯し、本文表示中マークを消灯して、一覧で選択されたヘッドラインに対応する表示マークの近傍に本文表示中マークを点灯し、ニュース本文表示手段が、一覧でヘッドラインの選択により、当該選択されたヘッドラインに対応するニュースの本文をニュース表示エリアに表示する上記コンピュータプログラムとしているので、一覧表示エリアに表示されたヘッドラインを選択しても、見出し表示中マーク、本文表示中マークを点灯、消灯することで、表示マークと本文との関連性を容易に把握できる効果がある。
【発明を実施するための最良の形態】
【００３９】
本発明の実施の形態について図面を参照しながら説明する。
［実施の形態の概要］
［株式情報表示方法］
本発明は、株式情報表示方法において、株価チャートにニュース内容の種別を示す表示マークを表示し、当該表示マークが選択されることで、対応するニュースのヘッドラインをチャート内に表示し、更に要求によりニュース本文を別の表示エリアに表示させるものであり、ユーザはチャート上でニュース内容の種別、ヘッドライン、本文を容易に把握できるものである。
【００４０】
［株式情報表示システム］
本発明は、株式情報表示システムにおいて、株式情報管理サーバがクライアント端末にチャート表示用プログラムと関連する株価チャート情報とニュース情報を配信し、クライアント端末が当該プログラムを用いて株価チャート情報から株価チャートを表示し、ニュース情報からチャート上にニュース内容の種別を示す表示マークを表示し、当該表示マークが選択することで、対応するニュースのヘッドラインがチャート内に表示され、更に要求によりニュース本文を別の表示エリアに表示させるものであり、ユーザはチャート上でニュース内容の種別、ヘッドライン、本文を容易に把握できるものである。
【００４１】
［株式情報表示システム概要（図１：全体構成概略図）］
本発明の実施の形態に係る株式情報表示システム（本システム）について図１を参照しながら説明する。図１は、本発明の実施の形態に係る株式情報表示システムの全体構成概略図である。
本システムは、図１に示すように、株価情報管理サーバ１と、インターネット３を介してネットワーク接続する複数のクライアント端末２とを備えている。
【００４２】
［株式情報管理サーバの概略説明］
株式情報管理サーバ１には、株価チャートを生成するための情報（株価チャート情報）を記憶する株式データベース（株式ＤＢ）１０ａと、ニュース情報を記憶するニュースデータベース（ニュースＤＢ）１０ｂとを備えている。
尚、株式ＤＢ１０ａとニュースＤＢ１０ｂとを一体のデータベースで構成するようにしてもよい。
株式情報管理サーバ１は、コンピュータで構成され、Ｗｅｂサーバの機能を備え、クライアント端末２からの要求に応じて株価チャート及びニュース情報を表示するためのプログラムと必要なデータを提供する。
【００４３】
［クライアント端末の概略説明］
クライアント端末２は、コンピュータで構成され、Ｗｅｂサーバである株式情報管理サーバ１にアクセスして株価チャート及びニュース情報を表示するためのプログラムをアプレットとして受信し、当該プログラムを動作させて配信された情報を表示する処理を行う。
【００４４】
［サーバ・端末の構成（図２：サーバ・端末の構成ブロック図）］
次に、株式情報管理サーバ１及びクライアント端末２の内部構成について図２を参照しながら説明する。図２は、株式情報管理サーバ及びクライアント端末の内部構成ブロック図である。
株式情報管理サーバ１及びクライアント端末２は、プログラムで動作するコンピュータで構成され、図２に示すように、基本的には、制御部１１と、揮発性メモリのメインメモリ１２と、不揮発性メモリの記憶部１３と、インタフェース部１４とを備えている。
【００４５】
制御部１１は、記憶部１３に格納された動作処理プログラムを読み込んでメインメモリ１２に展開し、各種処理手段を実現して、各種処理を実行するものである。
記憶部１３は、処理を実行するために必要な動作処理プログラム、データ、各種テーブルも記憶している。
インタフェース部１４は、外部機器に接続するためのインタフェースであり、具体的にはネットワーク接続のためのインタフェース、入力部に対するインタフェース、表示部に対するインタフェースを備えるものである。
【００４６】
特に、株式情報管理サーバ１であれば、記憶部は、コンピュータとして動作させるプログラムを記憶すると共に、株式ＤＢ１０ａ，ニュースＤＢ１０ｂを備え、更に記憶部には、株価チャート及びニュース情報を表示するためのプログラムが記憶され、制御部は、クライアント端末２からの要求に応じてニュースチャート及びニュース情報を表示するプログラムと表示に必要なデータを送信するプログラムをメインメモリに展開して実行するものである。
【００４７】
また、クライアント端末２であれば、記憶部は、コンピュータとして動作させるプログラムを記憶すると共に、株価情報管理サーバ１から送信されたプログラム及びデータを記憶し、制御部は、記憶部からプログラムを読み込んでメインメモリに展開し、ニュースチャート及びニュース情報を表示する処理を実行するものである。
尚、クライアント端末２は、制御部が株式情報管理サーバ１からダウンロードしたプログラムを記憶部に格納せずにメインメモリのみに展開して動作させるようにしてもよい。
【００４８】
［株式ＤＢの内容（図３：株式ＤＢの内容）］
次に、株式ＤＢ１０ａについて図３を参照しながら説明する。図３は、株式ＤＢに格納されている株価チャート情報のテーブルを示す図である。
株式ＤＢ１０ａは、図３に示すように、株価チャート情報を記憶している。
株価チャート情報とは、図３に示すように、銘柄毎に、銘柄コード、市場コード、日付、銘柄名、四本値（始値、高値、安値、終値）、出来高等のデータであり、クライアント端末２から「銘柄コード」「市場コード」が指定されると、該当するデータが株式ＤＢ１０ａの株価チャート情報テーブルから読み出されるようになっている。
【００４９】
［ニュースＤＢの内容（図４：ニュースＤＢの内容）］
次に、ニュースＤＢ１０ｂについて図４を参照しながら説明する。図４は、ニュースＤＢ１０ｂに格納されているニュース情報のテーブルを示す図である。
ニュースＤＢ１０ｂは、図４に示すように、ニュース情報を記憶している。
ニュース情報とは、日付、銘柄コード、市場コード、種別、ヘッドライン、本文等のデータであり、クライアント端末２から「銘柄コード」「市場コード」が指定されると、該当するデータがニュースＤＢ１０ｂのニュース情報から読み出されるようになっている。
【００５０】
図４では、「市場コード」を設けているが、「市場コード」がなくてもよい。その場合、クライアント端末２は、「銘柄コード」の指定でニュース情報をニュースＤＢ１０ｂから読み出すものとなっている。
【００５１】
ニュース情報は、ニュースを配信する新聞社、証券取引所、その他の情報ベンダ等から収集されたものであり、若しくは株式情報管理サーバ１の管理者が独自に作成したレポート記事も含まれる。
そして、ニュース情報は、通常、ニュース発生順、つまり、日付順にニュースＤＢ１０ｂに格納される。
【００５２】
また、「種別」は、ニュースの種別を示し、具体的には、新聞等のメディアの「記事」、銘柄会社自身の発表等の「リリース」、業績発表等の「業績」等がある。
「ヘッドライン」は、ニュース内容の要約であり、「本文」は、ニュースの「記事」「リリース」「業績」の本文内容である。
【００５３】
［株式情報管理サーバとクライアント端末との関係］
本システムにおけるチャートとニュースの表示機能は、Ｗｅｂブラウザ上で動作するＪａｖａ（登録商標）仮想マシン（ＪａｖａＶＭ）で動作するＪａｖａアプレット（以下、単に「アプレット」とする）の技術を利用したものである。そして、チャート表示のアプレット（チャートアプレット）とＷｅｂサーバとの協調動作によって、上記表示機能が実現される。
【００５４】
尚、同様の機能をアプレット以外にも、一般的なＷｉｎｄｏｗｓ（登録商標）アプリケーションやＡｃｔｉｖｅＸ、Ｆｌａｓｈといった技術を利用して実現することも可能である。
また、Ｗｅｂサーバ以外にも、データベースサーバやそれに類するサーバによって実現することも可能である。
【００５５】
株式情報管理サーバ１は、クライアント端末２に必要な情報を一括で送信するようにしており、これにより、セッション数（アクセス数）を減らし、処理や通信の負荷を軽減できるものである。特に、インターネット上での利用に有利な方式となっている。
本実施の形態は、インターネットに限った技術ではなく、専用線を用いたネットワーク、社内のネットワークにおいても有効に利用可能なものである。
【００５６】
［本システムにおける処理手段］
株式情報管理サーバ１では、処理プログラムを制御部が読み込んで、クライアント端末２からの要求により、株式情報を表示させるコンピュータプログラムをクライアント端末２に送信する処理を行うプログラム送信手段と、クライアント端末２から特定された銘柄について株式ＤＢ１０ａから株価情報を読み込んでクライアント端末２に送信する処理を行う株価情報送信手段と、クライアント端末２から特定された銘柄についてニュースＤＢ１０ｂから少なくともニュース内容の種別、ヘッドライン、ニュース本文を含むニュース情報を読み込んでクライアント端末２に送信する処理を行うニュース情報送信手段とを備えるものである。
【００５７】
また、クライアント端末２は、株式情報管理サーバ１から送信されたプログラムを制御部で動作させることにより、送信された株価情報に基づいてクライアント端末２の表示部にローソク足の株価のチャートを表示する処理を行う株価チャート表示手段と、送信されたニュース情報に基づいて株価のチャートの日付に対応した箇所にニュース内容の種別を示す表示マークを複数表示する処理を行う表示マーク表示手段と、複数表示された表示マークの内、一つの表示マークを選択する指示が入力部から入力されると、選択された表示マークに対応するニュースのヘッドラインをヘッドライン表示エリアに表示する処理を行うヘッドライン表示手段と、ヘッドラインの表示中に本文表示の指示が入力部から入力されると、ヘッドラインに対応するニュース本文を別の表示エリアに表示する処理を行うニュース本文表示手段と、チャート表示エリアの下にヘッドライン一覧を表示する処理を行う一覧表示手段とを備えるものである。
【００５８】
更に、表示マーク表示手段、ヘッドライン表示手段、ニュース本文表示手段は、以下説明する通り、表示マークの表示態様の変更（例えば、表示色の変更）、ヘッドライン表示エリアの表示態様の変更（例えば、背景色の変更）、見出し表示中マーク、本文表示中マークの点灯、消灯、その他の処理を行うようになっている。
尚、表示態様の変更は、表示色の変更、背景色の変更、表示マーク又は表示文字を強調表示若しくは拡大表示することなどで実現するものである。
また、一覧表示手段によって、ヘッドラインの一覧表示と表示マーク、本文との関連付ける処理を実現するものである。
つまり、処理プログラムは、制御部で実行されることで上記各手段を実現可能に備えるものとなるものである。
【００５９】
［本システムの動作処理概略］
本システムにおける動作処理で、チャート画面表示処理、ニュース情報準備処理、ニュース記号表示処理、ヘッドライン表示処理、本文表示処理の概略について、以下説明する。
チャート画面表示処理は、プログラム送信手段と株価情報送信手段により実行され、ニュース情報準備処理は、プログラム送信手段とニュース情報送信手段により実行されるものである。
また、ニュース記号表示処理は表示マーク表示手段により、ヘッドライン表示処理はヘッドライン表示手段により、本文表示処理はニュース本文表示手段により実行されるものである。
【００６０】
［チャート画面表示処理］
クライアント端末２のＷｅｂブラウザからのリクエストにより、株式情報管理サーバ１のＷｅｂサーバがチャート表示するためのＨＴＭＬ（Hyper Text Markup Language）をクライアント端末２のＷｅｂブラウザに送信する。
【００６１】
そして、クライアント端末２のＷｅｂブラウザが、送信されたＨＴＭＬを解釈して、チャート表示のＪａｖａＶＭがＷｅｂブラウザ上で起動される。
クライアント端末２において、ＪａｖａＶＭがＨＴＭＬ上で指定された情報を元に、株式情報管理サーバ１のＷｅｂサーバにチャートアプレットをリクエストし、チャートアプレットが株式情報管理サーバ１からクライアント端末２のＷｅｂブラウザに送信される。
【００６２】
送信されたチャートアプレットをクライアント端末２のＪａｖａＶＭが受信すると、チャートアプレットが起動され、そして、株式ＤＢ１０ａから読み出され、株式情報管理サーバ１から送信された関連する株価チャート情報に基づいて株価チャートの画面を表示する処理が為される。
【００６３】
［ニュース情報準備処理］
クライアント端末２のチャートアプレットでニュース表示の設定がオンになると、チャートアプレットが、チャートで表示中の銘柄の銘柄コードと市場コードを株式情報管理サーバ１に送信してニュース情報をリクエストする。
【００６４】
株式情報管理サーバ１は、そのリクエストに応じてニュースＤＢ１０ｂに保存されている該当銘柄のニュース情報（日付、種別、ヘッドライン、本文等を基本とするレコード群）を一括してダウンロードし、各種ニュース内容について、日付、種別、ヘッドライン、本文等をクライアント端末２の記憶部１３に記憶する。
クライアント端末２は、ダウンロードしたニュース情報を記憶部１３には記憶せず、メインメモリに直接記憶させるようにしてもよい。
【００６５】
本文の情報量が多い場合には、サーバやネットワークに負荷を掛けることになるため、ニュース情報のダウンロードの際に本文だけはダウンロードせず、後に本文を表示させる指示が入力されたときに、本文をダウンロードするようにしてもよい。
【００６６】
［ニュース記号（表示マーク）表示処理］
ニュース情報において、ニュース内容の日付を元に、チャート上の該当する日付のローソク足の上下にニュース記号（表示マーク）を表示する。
【００６７】
表示マークは、ニュースリリースの場合が緑色の（リ）、銘柄企業が公表した業績の場合が青色の（業）、記事の場合が赤色の（記）で表される。
【００６８】
表示マークは、その日付において、どの種別のニュースがあったのかを示すもので、特に、マーク毎に記号の形と色を変えて表示することで、「どのタイミングで」「どういうニュースがあったか」が一目で分かるようになっている。
【００６９】
表示マークの表示位置は、株価の動きによって導かれる線（基準線）、例えば、Ｘ日（２５日、７５日）移動平均線を用い、その移動平均線より株価が上にある場合にはローソク足の上側に、株価が下にある場合にはローソク足の下側に表示する。
【００７０】
これにより、ローソク足に重ならないように、見易く表示マークを表示できる。また、同一の日に複数のニュース情報がある場合には、表示マークを上下にずらして重ならないように表示する。表示マークの表示処理は後述する。
尚、基準線には、特定日数の移動平均線、波動線、或いは、特定期間における株価の平均値の線であってもよい。
【００７１】
［ヘッドライン表示処理］
ユーザが、クライアント端末２において、ローソク足の上下に表示された表示マークをクリックすると、ヘッドライン表示のイベントが発生する。当該クリックによって表示マークの表示態様が変更される。表示マークの表示態様の変更は、例えば、背景色を変更するものであり、具体的には表示色の反転表示で行っている。
【００７２】
ヘッドライン表示のイベント発生により、当該表示マークに関連付けられたニュースのヘッドライン内容が記憶部１３又はメインメモリ１２から検索され、チャート画面上に日付、種別とともに検索されたヘッドライン内容がヘッドライン枠に表示される。この場合、ヘッドライン枠内の背景色は、例えば白色となっている。
ヘッドライン枠は、チャート表示エリア内外に設けてもよいし、チャート表示エリアに一部オーバーラップして設けるようにしてもよい。但し、チャート表示エリア内に設けるようにした方が、株価チャート及び表示マークとの関連性を認識しやすいものである。
【００７３】
［本文表示処理］
表示されているヘッドライン枠内の＜本文表示＞をクリックするか、またはヘッドライン枠内をダブルクリックすると、ニュース本文表示のための、新しいウインドウが表示され、そのウインドウの中に、日付、種別、ヘッドラインとともに関連付けられたニュース本文が表示される。
ニュース本文が表示されるウインドウは、チャート表示エリア内外に設けてもよいし、チャート表示エリアに一部オーバーラップして設けるようにしてもよい。但し、チャート表示エリア外に設けるようにした方が、ヘッドラインと本文を区別して認識しやすいものである。
【００７４】
本文表示によってヘッドラインの表示態様を変更する。例えば、ヘッドラインの背景色を種別に関連する色に変更する。具体的には、ニュース内容が「記事」である場合、表示マークが赤色で表示されているので、本文表示を機にヘッドライン枠内の背景色を白色から薄い赤色又はピンク色に変更する。また、ニュース内容が「業績」である場合、表示マークが青色で表示されているので、本文表示を機にヘッドライン枠内の背景色を白色から薄い青色又は水色に変更する。また、ニュース内容が「リリース」である場合、表示マークが緑色で表示されているので、本文表示を機にヘッドライン枠内の背景色を白色から薄い緑色又は黄緑色に変更する。
【００７５】
このように、ニュースの本文を表示する際に、ヘッドライン枠内の背景色を表示マークに関連する色に変更することで、表示マーク、ヘッドライン、本文の関連性をユーザに容易に理解させることができる。
【００７６】
すなわち、ヘッドライン枠内の背景色が表示マークに関連する色に変更されていると、表示されている本文は、表示されているヘッドラインに関連したものである。
また、ヘッドライン枠内の背景色が表示マークに関連する色に変更されていなければ、つまり、ヘッドライン枠内の背景色が白色であると、表示されている本文は、表示されているヘッドラインに関連しないものである。例えば、本文表示をして、その後、別の表示マークを選択してヘッドライン表示させた場合に、表示されている本文と表示されているヘッドラインとの関連性がないものとなる。
【００７７】
［ニュース情報テーブル（図５：ニュース情報テーブルの概略図）］
次に、クライアント端末２に保持されるニュース情報テーブルについて図５を参照しながら説明する。図５は、ニュース情報テーブルの概略図である。
ニュース情報テーブルは、クライアント端末２のチャートアプレットがニュース情報を株式情報管理サーバ１に要求した場合、ニュースＤＢ１０ｂから読み込まれてクライアント端末２に送信されたデータ群である。
【００７８】
株価チャートでは、特定の銘柄について株価の動きが表示されるため、銘柄コードと市場コードで特定されたニュース内容が検索され、図５に示すように、検索されたニュース内容（日付、種別、ヘッドラインの内容、本文の内容）の集合がニュース情報テーブルの形式でクライアント端末２に送信される。
ニュース内容の検索は、銘柄コードのみを用いて行うようにしてもよい。
【００７９】
このニュース情報テーブルで、本発明の特徴的処理の実行を容易にするために、「マークＩＤ（マーク識別子）」をニュース内容毎に付与する。マークＩＤは、株式情報管理サーバ１で付与してもよいし、クライアント端末２のアプレットで付与するようにしてもよい。
【００８０】
マークＩＤは、表示マークの表示位置の情報、表示状態の情報とニュース内容とを結びつけるものとなるもので、ニュース内容毎に異なるＩＤが付与される。具体的には、日付順に１番目の記事にはａ1 を、１番目のリリースにはｂ1 を、１番目の業績にはｃ1 を、２番目の記事にはａ2 を付与するようになっている。
【００８１】
［表示マーク管理テーブル（図６：表示マーク管理テーブルの概略図）］
次に、クライアント端末２で生成される表示マーク管理テーブルについて図６を参照しながら説明する。図６は、表示マーク管理テーブルの概略図である。
クライアント端末２のチャートアプレットでは、受信したニュース情報テーブルに基づいて、表示マーク、ヘッドライン、本文の表示を管理するための表示マーク管理テーブルを生成する。
生成された表示マーク管理テーブルは、記憶部１３又はメインメモリ１２に記憶する。
【００８２】
表示マーク管理テーブルは、図６に示すように、マークＩＤに対応して、種別、表示内容、日付、見出し表示中、本文表示中の情報を記憶している。
「種別」は、ニュース内容の種別であり、ニュース情報テーブルから取得する。
「表示内容」は、種別によって定められる表示マークの形態である。具体的には、リリースは緑色の（リ）で、業績は青色の（業）で、記事は赤色の（記）の表示形態をとる。
【００８３】
「日付」は、後述する方法で表示マークの表示処理を行うために用いられるもので、ニュース情報テーブルから取得する。
「見出し表示中」は、ヘッドライン枠内に表示されている内容がどのマークＩＤに対応しているのかを示す情報（フラグ）である。ヘッドラインの内容が変更されれば、変更されたマークＩＤにフラグが立つよう制御される。
【００８４】
「本文表示中」は、本文のウインドウに表示されている内容がどのマークＩＤに対応しているのかを示す情報（フラグ）である。本文の内容が変更されれば、変更されたマークＩＤにフラグが立つよう制御される。
【００８５】
クライアント端末２は、表示マーク管理テーブルを参照して「表示内容」「日付」から特定の表示位置に該当する表示マークの形態を表示し、「見出し表示中」「本文表示中」からヘッドライン表示、本文表示を制御するものである。
【００８６】
［ニュースチャート表示画面（図７：ニュースチャート表示画面例を示す図）］
次に、クライアント端末２におけるニュースチャート表示画面について図７を参照しながら説明する。図７は、ニュースチャート表示画面例を示す図である。
ニュースチャート表示画面は、例えば、株価チャート表示画面に設けられた「ニュース表示設定」をオンするボタンのクリックにより表示される。
【００８７】
具体的に、ニュースチャート表示画面は、図７に示すように、株価チャートのローソク足の上下に（業）（記）等の表示マークが表示され、その表示マークをクリックすることで、チャート中央上部にヘッドラインが表示され、更にヘッドライン枠内でのダブルクリック、ヘッドライン枠内の＜本文表示＞部分のクリック又はチャート枠外下部に表示されたヘッドライン一覧からの選択によって、ニュース本文が別ウインドウで表示されるようになっている。
尚、チャートは横軸が年月日を表し、縦軸がチャート枠内上部で株価をローソク足で、チャート枠内下部で出来高を棒グラフで表示している。
【００８８】
［表示マーク表示処理（図８：表示マーク表示処理フロー）］
次に、クライアント端末２における表示マークの表示処理について図８を参照しながら説明する。図８は、表示マーク表示処理フローチャートである。
クライアント端末２における制御部１１が記憶部１３から表示マークの表示処理のプログラムを読み込んでメインメモリ１２に展開し、表示処理を行う。ハードウェア資源とソフトウェアとの協働関係により表示マークの表示処理手段を実現している。
【００８９】
まず、図８に示すように、株価の動きによって導かれる線（基準線）を選択する（Ｓ１１）。当該基準線とは、Ｘ日移動平均線、波動線、株価の平均の線等が考えられる。尚、基準線は、株式情報管理サーバ１で予め定めたものを利用するものであってもよい。
次に、選択された線（基準線）より当該日付の終値が上に位置しているか、下に位置しているかを判定する（Ｓ１２）。
【００９０】
終値が基準線より上に位置している場合（Ｙｅｓの場合）、表示マークの形態をニュースの日付位置で、そのローソク足における高値の上の位置に表示する（Ｓ１３）。
また、判定処理Ｓ１２で終値が基準線以下に位置している場合（Ｎｏの場合）、表示マークの形態をニュースの日付位置で、そのローソク足における安値の下の位置に表示する（Ｓ１４）。
これにより、チャートにおいてローソク足の表示がされている部分に表示マークが重なることがなく、チャートと表示マークが見易いものとなる。
【００９１】
尚、同じ日付で表示マークが複数存在する場合には、表示マーク管理テーブルにおける設定順に従ってローソク足に近い所から表示するようにすれば、同日の表示マークが重なり合うことを回避できるものである。
【００９２】
［表示マーク、ヘッドライン、本文表示処理１（図９−１３：表示例）］
次に、表示マーク、ヘッドライン、本文表示処理１について図９〜図１３を参照しながら説明する。図９は、表示マーク、ヘッドライン、本文表示処理１の第１段階の表示例を示す図であり、図１０は、表示マーク、ヘッドライン、本文表示処理１の第２段階の表示例を示す図であり、図１１は、表示マーク、ヘッドライン、本文表示処理１の第３段階の表示例を示す図であり、図１２は、表示マーク、ヘッドライン、本文表示処理１の第４段階の表示例を示す図であり、図１３は、表示マーク、ヘッドライン、本文表示処理１の第５段階の表示例を示す図である。
【００９３】
［第１段階の表示例］
図９に示すように、クライアント端末２において、チャートアプレットを起動させ、ニュース表示の設定をオンにすると、表示マーク（記事マーク等）、ヘッドライン枠（ヘッドラインの内容は未表示）が表示される。
【００９４】
［第２段階の表示例］
図１０に示すように、表示マークにおける記事マークをクリックすると、ヘッドライン枠に当該記事のヘッドラインが表示され、表示マーク（記）の表示態様が変更される。表示マークの表示態様の変更は、例えば、背景色を変更するものであり、具体的には背景色が赤色に変わるものであり、背景色の変更は、赤白の反転表示である。
【００９５】
［第３段階の表示例］
次に、図１１に示すように、ヘッドライン枠内の「本文表示」がクリックされると、本文が別ウインドウで表示され、ヘッドライン枠内の表示態様が変更される。ヘッドライン枠内の表示態様の変更は、例えば、背景色がピンク色に変更になる。
【００９６】
［第４段階の表示例］
更に、図１２に示すように、別の表示マークをクリックして選択されると、当該選択された表示マークに関するヘッドラインの内容が表示され、表示マーク、ここでは（業）の表示態様が変更になる。例えば、（業）の背景色が青に変更になる。背景色の変更は、青白の反転表示である。そして、ヘッドラインと本文の関連性がなくなったため、ヘッドラインの枠内の表示態様を元に戻す。例えば、ヘッドラインの枠内の背景色をピンクから白色に戻す。但し、本文は、図１１で選択されたものが残って表示されている。
【００９７】
［第５段階の表示例］
図１３に示すように、再度、ヘッドライン枠内の「本文表示」がクリックされて選択されると、ヘッドラインに関連する本文が別ウインドウに上書き表示され、ヘッドライン枠内の表示態様が変更される。例えば、ヘッドライン枠内の背景色が変更される。
【００９８】
このように、表示態様（背景色）の変更により、表示マークとヘッドラインの関連性を明確にし、更にヘッドラインと本文との関連性を明確にしているので、ユーザは表示マーク、ヘッドライン、本文を参照しながら、それらの関連性をも把握した上で株価の動向を判断して、取引に役立てることができるものである。
【００９９】
［表示マーク、ヘッドライン、本文表示処理１（図１４：処理１のフロー）］
次に、表示マーク、ヘッドライン、本文表示処理１のフローについて図１４を参照しながら説明する。図１４は、表示マーク、ヘッドライン、本文表示処理１のフローチャートである。
クライアント端末２の制御部１１は、表示マーク管理テーブルによって表示マークの位置を「日付」によって管理しており、表示マークがクリックされたか否かを判定する（Ｓ２１）。
【０１００】
表示マークがクリックされて選択されると（Ｙｅｓの場合）、表示マーク管理テーブルにおける選択された表示マークのマークＩＤに対応する「見出し表示中」にフラグをオンし、表示マークの表示態様を変更（例えば、背景色を変更）して、当該マークＩＤに対応するヘッドライン内容をニュース情報テーブルから読み込み、ヘッドライン枠内に表示する（Ｓ２２）。
【０１０１】
次に、ヘッドライン枠内の＜本文表示＞がクリックされたか否かを判定し（Ｓ２３）、クリックされたのであれば（Ｙｅｓの場合）、表示マーク管理テーブルにおける該当マークＩＤに対応する「本文表示中」にフラグをオンし、ヘッドラインの枠内の表示態様を変更（例えば、枠内の背景色を変更）して、当該マークＩＤに対応する本文内容をニュース情報テーブルから読み込み、本文表示のウインドウ内に表示する（Ｓ２４）。
【０１０２】
更に、別の表示マークがクリックされたか否かを判定し（Ｓ２５）、別の表示マークがクリックされなければ（Ｎｏの場合）、処理Ｓ２５の判定処理を繰り返す。また、別の表示マークがクリックされたなら（Ｙｅｓの場合）、処理Ｓ２７に移行する。
【０１０３】
また、判定処理Ｓ２３で、＜本文表示＞がクリックされなかった場合（Ｎｏの場合）、別の表示マークがクリックされたか否かを判定し（Ｓ２６）、別の表示マークがクリックされなければ（Ｎｏの場合）、処理Ｓ２３の判定処理を繰り返す。また、別の表示マークがクリックされたなら（Ｙｅｓの場合）、処理Ｓ２７に移行する。
【０１０４】
別の表示マークがクリックされると、表示マーク管理テーブルにおける「見出し表示中」のフラグをオフにし、別の表示マークのマークＩＤに対応する「見出し表示中」にフラグをオンし、表示マークの表示態様（例えば、背景色）をまずリセットして、クリックされた別の表示マークの表示態様を変更（例えば、背景色を変更）する（Ｓ２７）。
【０１０５】
そして、ヘッドライン枠内の表示態様（例えば、背景色）を元に戻し、当該マークＩＤに対応するヘッドライン内容をニュース情報テーブルから読み込み、ヘッドライン枠内に表示する（Ｓ２８）。その後、判定処理Ｓ２３に戻る。
このようにして、表示マーク、ヘッドライン、本文表示の第１の処理が為される。
【０１０６】
［表示マーク、ヘッドライン、本文表示処理２（図１５−１９：表示例）］
次に、表示マーク、ヘッドライン、本文表示処理２について図１５〜図１９を参照しながら説明する。図１５は、表示マーク、ヘッドライン、本文表示処理２の第１段階の表示例を示す図であり、図１６は、表示マーク、ヘッドライン、本文表示処理２の第２段階の表示例を示す図であり、図１７は、表示マーク、ヘッドライン、本文表示処理２の第３段階の表示例を示す図であり、図１８は、表示マーク、ヘッドライン、本文表示処理２の第４段階の表示例を示す図であり、図１９は、表示マーク、ヘッドライン、本文表示処理２の第５段階の表示例を示す図である。
【０１０７】
［第１段階の表示例］
図１５に示すように、クライアント端末２において、チャートアプレットを起動させ、ニュース表示の設定をオンにすると、表示マーク（記事マーク等）、ヘッドライン枠（ヘッドラインの内容は未表示）が表示される。
【０１０８】
［第２段階の表示例］
図１６に示すように、表示マークにおける記事マークをクリックすると、ヘッドライン枠に当該記事のヘッドラインが表示され、表示マーク（記）の表示態様が変更され（例えば、背景色が赤色に変わり）、更に表示マークの上に小さく「見出し」の文字（見出し表示中マーク）が表示（点灯）される（図１６）。背景色の変更は、赤白の反転表示である。また、ここでは、「見出し」の文字を表示したが、文字ではなく何らかのマークであってもよい。
【０１０９】
［第３段階の表示例］
次に、図１７に示すように、ヘッドライン枠内の「本文表示」がクリックされると、本文が別ウインドウで表示され、ヘッドライン枠内の表示態様が変更され（例えば、背景色がピンク色に変更になり）、更に表示マークの上に小さく「本文」の文字（本文表示中マーク）が表示（点灯）される。また、ここでは、「本文」の文字を表示したが、文字ではなく何らかのマークであってもよい。
【０１１０】
［第４段階の表示例］
更に、図１８に示すように、別の表示マークをクリックして選択されると、以前選択された表示マーク（記）の上の見出し表示中マークが削除され、今回選択された表示マークに関するヘッドラインの内容が表示され、表示マーク、ここでは（業）の表示態様が変更（例えば、背景色が青に変更）になる。背景色の変更は、例えば、青白の反転表示である。更に表示マーク（業）の上に小さく「見出し」の文字（見出し表示中マーク）が表示（点灯）される。そして、ヘッドラインと本文の関連性がなくなったため、ヘッドラインの枠内の表示態様を戻す（例えば、枠内の背景色をピンクから白色に戻す）。但し、本文は、図１７で選択されたものが残って表示されている。
【０１１１】
［第５段階の表示例］
図１９に示すように、再度、ヘッドライン枠内の「本文表示」がクリックされて選択されると、以前本文表示した表示マーク（記）の上の本文表示中マークが削除され、ヘッドラインに関連する本文が別ウインドウに上書き表示され、ヘッドライン枠内の表示態様（例えば、背景色）が変更される。そして、本文が表示された表示マーク（業）の上に本文表示中マークを点灯する。
【０１１２】
このように、背景色の変更、見出し表示中マーク、本文表示中マークの点滅により、表示マークとヘッドラインの関連性を明確にし、更にヘッドラインと本文との関連性を明確にしているので、ユーザは表示マーク、ヘッドライン、本文を参照しながら、それらの関連性をも把握した上で株価の動向を判断して、取引に役立てることができるものである。尚、背景色の変更を行わず、見出し表示中マーク、本文表示中マークの点滅だけで、表示マークとヘッドライン、本文の関連性を明確にしてもよい。
【０１１３】
［表示マーク、ヘッドライン、本文表示処理２（図２０：処理２のフロー）］
次に、表示マーク、ヘッドライン、本文表示処理２のフローについて図２０を参照しながら説明する。図２０は、表示マーク、ヘッドライン、本文表示処理２のフローチャートである。
クライアント端末２の制御部１１は、表示マーク管理テーブルによって表示マークの位置を「日付」によって管理しており、表示マークがクリックされたか否かを判定する（Ｓ３１）。
【０１１４】
表示マークがクリックされて選択されると（Ｙｅｓの場合）、表示マーク管理テーブルにおける選択された表示マークのマークＩＤに対応する「見出し表示中」にフラグをオンし、表示マークの表示態様（例えば、背景色）を変更して、「見出し」表示中マークを点灯し、当該マークＩＤに対応するヘッドライン内容をニュース情報テーブルから読み込み、ヘッドライン枠内に表示する（Ｓ３２）。
【０１１５】
次に、ヘッドライン枠内の＜本文表示＞がクリックされたか否かを判定し（Ｓ３３）、クリックされたのであれば（Ｙｅｓの場合）、既に本文表示がされている場合には、表示マーク管理テーブルにおける該当マークＩＤ（既に本文表示された表示マークのＩＤ）に対応する「本文表示中」にフラグをオフにし、「本文」表示中マークを消灯し、更に、表示マーク管理テーブルにおける該当マークＩＤ（本文表示対象の表示マークのＩＤ）に対応する「本文表示中」にフラグをオンし、「本文」表示中マークを点灯し、ヘッドラインの枠内の表示態様（例えば、背景色）を変更して、当該マークＩＤに対応する本文内容をニュース情報テーブルから読み込み、本文表示のウインドウ内に表示する（Ｓ３４）。
【０１１６】
更に、別の表示マークがクリックされたか否かを判定し（Ｓ３５）、別の表示マークがクリックされなければ（Ｎｏの場合）、処理Ｓ３５の判定処理を繰り返す。また、別の表示マークがクリックされたなら（Ｙｅｓの場合）、処理Ｓ３７に移行する。
【０１１７】
また、判定処理Ｓ３３で、＜本文表示＞がクリックされなかった場合（Ｎｏの場合）、別の表示マークがクリックされたか否かを判定し（Ｓ３６）、別の表示マークがクリックされなければ（Ｎｏの場合）、処理Ｓ３３の判定処理を繰り返す。また、別の表示マークがクリックされたなら（Ｙｅｓの場合）、処理Ｓ３７に移行する。
【０１１８】
別の表示マークがクリックされると、表示マーク管理テーブルにおける「見出し表示中」のフラグをオフにし、別の表示マークのマークＩＤに対応する「見出し表示中」にフラグをオンし、表示マークの表示態様（例えば、背景色）をまずリセットして、「見出し」表示中マークを消灯し、クリックされた別の表示マークの表示態様（例えば、背景色）を変更して、「見出し」表示中マークを点灯する（Ｓ３７）。
【０１１９】
そして、ヘッドライン枠内の表示態様（例えば、背景色）を元に戻し、当該マークＩＤに対応するヘッドライン内容をニュース情報テーブルから読み込み、ヘッドライン枠内に表示する（Ｓ３８）。その後、判定処理Ｓ３３に戻る。
このようにして、表示マーク、ヘッドライン、本文表示の第２の処理が為される。
【０１２０】
［ヘッドライン一覧との連携］
チャート表示の枠外下部にヘッドライン一覧（日付、表示マーク、ヘッドライン内容の一覧）を表示しており、右端のスクロールバーでスクロールして参照可能となっている。
このヘッドライン一覧のヘッドラインをクリックして別ウインドウにニュース本文を表示させるようにしてもよい。
【０１２１】
この一覧を用いて本文を表示させた場合にも、表示マーク管理テーブルの「本文表示中」のフラグを設定し直すことで、クライアント端末２の制御部１１は、当該フラグを参照してヘッドライン枠内の表示態様（例えば、背景色）を変更し、表示マーク上部の本文表示中マークの点灯／消灯も制御するものである。
【０１２２】
具体的には、一つのマークＩＤに見出し表示中と本文表示中のフラグが並んだ場合に、ヘッドライン枠内の表示態様（例えば、背景色）を変更し、表示マーク上に見出し表示中マークと本文表示中マークを２段に点灯する。別々のマークＩＤに見出し表示中のフラグと本文表示中のフラグが分散されている場合に、それぞれの表示マーク上に見出し表示中マーク、本文表示中マークを別々に点灯する。
【０１２３】
［実施の形態の効果］
本実施の形態によれば、株価チャートのローソク足に重ならないようにニュース内容の種別を表す表示マークを色分けして表示しているので、チャート内における変化点でのニュース内容の種別を容易にユーザが認識できる効果がある。
【０１２４】
本実施の形態によれば、チャート内に表示された表示マークを選択するとヘッドラインが表示され、更にそのヘッドラインに対応するニュースの本文も表示できるので、ユーザは株価の動きを総合的判断して取引を行うことができる効果がある。
【０１２５】
本実施の形態によれば、選択された表示マークと表示されたヘッドライン、表示された本文との関係を表示マークの表示態様（例えば、背景色）の変更、ヘッドライン枠内の表示態様（例えば、背景色）の変更によってユーザに認識し易くしているので、表示マーク、ヘッドライン、本文の関連性をユーザが把握しなから株価動向を判断して取引を行うことができる効果がある。
【０１２６】
本実施の形態によれば、選択された表示マークと表示されたヘッドライン、表示された本文との関係を表示マークの見出し表示中マーク及び本文表示中マークの点滅によってユーザに認識し易くしているので、表示マーク、ヘッドライン、本文の関連性をユーザが把握しなから株価動向を判断して取引を行うことができる効果がある。
【０１２７】
本実施の形態によれば、選択された表示マークと表示されたヘッドライン、表示された本文との関係を表示マークの表示態様（例えば、背景色）の変更、ヘッドライン枠内の表示態様（例えば、背景色）の変更、表示マークの見出し表示中マーク及び本文表示中マークの点滅によってユーザに認識し易くしているので、表示マーク、ヘッドライン、本文の関連性をユーザが把握しなから株価動向を判断して取引を行うことができる効果がある。
【０１２８】
本実施の形態によれば、チャート表示枠の外のヘッドライン一覧からニュース本文を表示させた場合でも、表示マーク関連テーブルを用いて表示マーク、ヘッドライン、本文の関連性をユーザに認識させることができる効果がある。
【産業上の利用可能性】
【０１２９】
本発明は、株価チャートにおいてどのような種類のニュースがあるのかをチャート部分で容易に認識でき、ニュース本文表示とヘッドライン表示が対応するチャートのポイントをユーザが容易に認識できる株式情報表示方法及び株式情報表示システムに好適である。
【図面の簡単な説明】
【０１３０】
【図１】本発明の実施の形態に係る株式情報表示システムの全体構成概略図である。
【図２】株式情報管理サーバ及びクライアント端末の内部構成ブロック図である。
【図３】株式ＤＢに格納されている株価チャート情報のテーブルを示す図である。
【図４】ニュースＤＢ１０ｂに格納されているニュース情報のテーブルを示す図である。
【図５】ニュース情報テーブルの概略図である。
【図６】表示マーク管理テーブルの概略図である。
【図７】ニュースチャート表示画面例を示す図である。
【図８】表示マーク表示処理フローチャートである。
【図９】表示マーク、ヘッドライン、本文表示処理１の第１段階の表示例を示す図である。
【図１０】表示マーク、ヘッドライン、本文表示処理１の第２段階の表示例を示す図である。
【図１１】表示マーク、ヘッドライン、本文表示処理１の第３段階の表示例を示す図である。
【図１２】表示マーク、ヘッドライン、本文表示処理１の第４段階の表示例を示す図である。
【図１３】表示マーク、ヘッドライン、本文表示処理１の第５段階の表示例を示す図である。
【図１４】表示マーク、ヘッドライン、本文表示処理１のフローチャートである。
【図１５】表示マーク、ヘッドライン、本文表示処理２の第１段階の表示例を示す図である。
【図１６】表示マーク、ヘッドライン、本文表示処理２の第２段階の表示例を示す図である。
【図１７】表示マーク、ヘッドライン、本文表示処理２の第３段階の表示例を示す図である。
【図１８】表示マーク、ヘッドライン、本文表示処理２の第４段階の表示例を示す図である。
【図１９】表示マーク、ヘッドライン、本文表示処理２の第５段階の表示例を示す図である。
【図２０】表示マーク、ヘッドライン、本文表示処理２のフローチャートである。
【符号の説明】
【０１３１】
１…株式情報管理サーバ、  ２…クライアント端末、  ３…インターネット、  １０ａ…株式ＤＢ、  １０ｂ…ニュースＤＢ、  １１…制御部、  １２…メインメモリ、  １３…記憶部、  １４…インタフェース部
【図１】
2008181277.tif 000003
【図２】
2008181277.tif 000004
【図３】
2008181277.tif 000005
【図４】
2008181277.tif 000006
【図５】
2008181277.tif 000007
【図６】
2008181277.tif 000008
【図７】
2008181277.tif 000009
【図８】
2008181277.tif 000010
【図９】
2008181277.tif 000011
【図１０】
2008181277.tif 000012
【図１１】
2008181277.tif 000013
【図１２】
2008181277.tif 000014
【図１３】
2008181277.tif 000015
【図１４】
2008181277.tif 000016
【図１５】
2008181277.tif 000017
【図１６】
2008181277.tif 000018
【図１７】
2008181277.tif 000019
【図１８】
2008181277.tif 000020
【図１９】
2008181277.tif 000021
【図２０】
2008181277.tif 000022